(57)【要約】【課題】バイフューエル車両で、各燃料の残量と特性に応じて、始動性能と燃費性能に優れた内燃機関の自動停止制御を実現する。【解決手段】始動性能が相対的に高い第１燃料（Ｆ１）と、燃費性能が相対的に高い第２燃料（Ｆ２）を使用可能な内燃機関（１１）と、所定の自動停止条件が成立した場合に内燃機関を自動停止させ、内燃機関の停止状態で所定の再始動条件が成立した場合に前記内燃機関を再始動させる自動停止制御装置（１２）と、を備えたバイフューエル車両（１０）であって、内燃機関が第２燃料を使用して運転しており、且つ第１燃料の残量が第１の所定値以下の場合には、自動停止制御装置は内燃機関の自動停止を禁止し、内燃機関が第１燃料を使用して運転しており、且つ第２燃料の残量が第２の所定値以下の場合には、自動停止制御装置は内燃機関の自動停止を許可し、第２燃料の残量低下の報知を行う。【選択図】図２
2020133599.tif 000002
【特許請求の範囲】
【請求項１】
始動性能が相対的に高い第１燃料と、燃費性能が相対的に高い第２燃料を使用可能な内燃機関と、
所定の自動停止条件が成立した場合に前記内燃機関を自動停止させ、前記内燃機関の自動停止状態で所定の再始動条件が成立した場合に前記内燃機関を再始動させる自動停止制御装置と、
を備えたバイフューエル車両であって、
前記内燃機関が前記第２燃料を使用して運転しており、且つ前記第１燃料の残量が第１の所定値以下の場合には、前記自動停止制御装置は前記内燃機関の自動停止を禁止し、
前記内燃機関が前記第１燃料を使用して運転しており、且つ前記第２燃料の残量が第２の所定値以下の場合には、前記自動停止制御装置は前記内燃機関の自動停止を許可し、前記第２燃料の残量低下の報知を行うことを特徴とするバイフューエル車両。
【請求項２】
前記第２の所定値は、前記第１の所定値よりも、残燃料による走行可能距離が長く設定されることを特徴とする請求項１に記載のバイフューエル車両。
【請求項３】
前記内燃機関が前記第１燃料を使用して運転している場合に、前記第１燃料の残量が、前記第１の所定値よりも残燃料による走行可能距離が短い第３の所定値以下になった場合に、前記自動停止制御装置は前記内燃機関の自動停止を禁止することを特徴とする請求項１又は２に記載のバイフューエル車両。
【請求項４】
前記第１燃料はガソリンであり、前記第２燃料は圧縮天然ガスであることを特徴とする請求項１から３のいずれか１項に記載のバイフューエル車両。
【発明の詳細な説明】
【技術分野】
【０００１】
本発明は、２種類の燃料を切り替えて走行するバイフューエル車両に関する。
【背景技術】
【０００２】
バイフューエル車両は、ガソリンと圧縮天然ガス（Compressed  Natural  Gas：以下、ＣＮＧとする）のように、異なる燃料を切り替えて内燃機関に供給して走行する。例えば、ＣＮＧはガソリンに比べて、燃費性能が高く、排ガス中の有害物質（窒素酸化物、二酸化炭素、硫黄酸化物など）の量が少ない、という特性を有する。そのため、ガソリンとＣＮＧを使用するバイフューエル車両では、ガソリンの消費低減による燃費向上や排ガス性能向上といった効果を見込める。
【０００３】
近年では、所定の停止条件が成立したときにエンジンを自動停止させるアイドリングストップ機能を備えた車両が増えている。アイドリングストップによって、燃費向上や排気ガス削減の効果が得られる。但し、アイドリングストップからの再始動にも所定量の燃料が使用される。そのため、車両の停止時間が短い場合などでは、アイドリングストップを実行することで却って燃費が悪化することもあり、車両の状態に応じたより効果的なアイドリングストップ制御が求められている。
【０００４】
例えば、特許文献１には、燃料タンク内の燃料の残量を検出する手段を備え、燃料の残量が所定値以下である場合に、アイドリングストップせずにエンジンを継続運転した場合の燃料消費量の予測値と、アイドリングストップしてエンジン再始動を行った場合の燃料消費量の予測値とを比較し、エンジン継続運転時の燃料消費量の方が少ないと判定したときには、アイドリングストップを禁止するという技術が記載されている。これにより、燃料の残量が少ない状態での燃費改善を図ることができる。
【先行技術文献】
【特許文献】
【０００５】
【特許文献１】特開２０１５−０１４２８１号公報
【発明の概要】
【発明が解決しようとする課題】
【０００６】
バイフューエル車両にアイドリングストップ機能を備える場合、２つの燃料の残量変化は一律ではなく、燃料ごとの特性も異なるので、特許文献１のような単一燃料を使用する前提でのアイドリングストップ制御では対応できない。例えば、一方の燃料の残量低下に基づいてアイドリングストップの禁止制御を行うと、他方の燃料は十分に残存していてエンジンの始動性に問題がない場合でも、アイドリングストップによる燃費改善の効果を得られなくなってしまう。
【０００７】
また、ガソリンとＣＮＧでは、エンジンの始動性能においてガソリンが優れ、燃費性能や排ガス性能においてＣＮＧが優れるので、いずれの燃料の残量が低下しているかによっても、エンジンの適切な自動停止条件や再始動条件が異なる。例えば、ガソリンの残量が不足してＣＮＧの残量がある程度確保されている状態で、アイドリングストップを許可すると、始動性能の低いＣＮＧを使用したエンジン再始動に長時間を要して、アイドリングストップ後の車両発進性能が低下するおそれがある。
【０００８】
本発明は係る点に鑑みてなされたものであり、特性の異なる２つの燃料を用いるバイフューエル車両で、各燃料の残量と特性に応じて、始動性能と燃費性能に優れた内燃機関の自動停止制御を実現することを目的とする。
【課題を解決するための手段】
【０００９】
本発明は、始動性能が相対的に高い第１燃料と、燃費性能が相対的に高い第２燃料を使用可能な内燃機関と、所定の自動停止条件が成立した場合に内燃機関を自動停止させ、内燃機関の停止状態で所定の再始動条件が成立した場合に前記内燃機関を再始動させる自動停止制御装置と、を備えたバイフューエル車両であって、内燃機関が第２燃料を使用して運転しており、且つ第１燃料の残量が第１の所定値以下の場合には、自動停止制御装置は内燃機関の自動停止を禁止し、内燃機関が第１燃料を使用して運転しており、且つ第２燃料の残量が第２の所定値以下の場合には、自動停止制御装置は内燃機関の自動停止を許可し、第２燃料の残量低下の報知を行うことを特徴とする。
【発明の効果】
【００１０】
本発明によれば、始動性能が高い第１燃料の不足時に内燃機関の自動停止を禁止するので、始動性能が低い状況で内燃機関の再始動を行うことを防ぐことができる。また、第２燃料の不足時には、内燃機関の自動停止を許可するので、自動停止による燃費改善の機会を確保できる。これにより、特性の異なる２つの燃料を用いるバイフューエル車両で、各燃料の残量と特性に応じて、始動性能と燃費性能に優れた内燃機関の自動停止制御を実現することができる。
【図面の簡単な説明】
【００１１】
【図１】本実施の形態のバイフューエル車両の構成図である。
【図２】本実施の形態のバイフューエル車両での使用燃料と燃料残量状態の対応関係によるアイドリングストップ制御を示す表である。
【図３】本実施の形態のバイフューエル車両のアイドリングストップ制御を示すフローチャートである。
【発明を実施するための形態】
【００１２】
以下、本実施の形態について添付図面を参照して詳細に説明する。まず、図１を参照して、本実施の形態に係るバイフューエル車両の構成要素について説明する。図１は、説明の便宜上、本開示の技術を説明するために簡略化したものであり、車両が通常備える構成については図示されていなくても備えているものとする。
【００１３】
本実施の形態のバイフューエル車両１０は、燃料特性の異なる第１燃料Ｆ１と第２燃料Ｆ２を切り替えて内燃機関であるエンジン１１に供給して、エンジン１１を駆動させるものである。エンジン１１及び関連機器を制御する制御部として、エンジンＥＣＵ（Electrical  Control  Unit）１２を備える。エンジンＥＣＵ１２は、エンジン１１を統括的に制御するものであり、運転中のエンジン１１の自動停止（アイドリングストップ）と、停止状態からのエンジン１１の再始動を制御する自動停止制御装置としての機能も備える。
【００１４】
第１燃料Ｆ１と第２燃料Ｆ２は、エンジン１１を始動させる際の始動性能が異なり、第１燃料Ｆ１の方が第２燃料Ｆ２に比してエンジン始動性能が高い。本実施の形態では、第１燃料Ｆ１として液体のガソリン燃料を使用し、第２燃料Ｆ２として気体のＣＮＧ（圧縮天然ガス）燃料を使用する。始動性能以外の燃料特性として、第２燃料Ｆ２（ＣＮＧ）は、第１燃料Ｆ１（ガソリン）に比して、燃費性能に優れ、燃焼後の排ガス中の有害物質の量が少ない（排ガス性能が高い）。バイフューエル車両１０は、これら２種類の燃料Ｆ１、Ｆ２をエンジン１１に供給する２系統の燃料供給系を備えている。
【００１５】
第１燃料Ｆ１に関する燃料供給系として、第１燃料タンク２０、第１燃料管路２１、フューエルポンプ２２、ポンプモータ２３、第１インジェクタ２４を有する。第１燃料タンク２０内には、液体の第１燃料Ｆ１（ガソリン）が貯留される。第１燃料管路２１は、第１燃料Ｆ１を第１燃料タンク２０から第１インジェクタ２４まで搬送する管路である。フューエルポンプ２２はポンプモータ２３によって駆動されるポンプであり、フューエルポンプ２２によって、第１燃料Ｆ１が第１燃料管路２１内を第１インジェクタ２４まで圧送される。第１インジェクタ２４は、エンジン１１の吸気ポート（不図示）又は燃焼室（不図示）内に第１燃料Ｆ１を噴射する。第１インジェクタ２４から噴射された第１燃料Ｆ１は、図示を省略する吸気系からエンジン１１に取り込まれた空気と混ざって混合気を生成する。
【００１６】
第２燃料Ｆ２に関する燃料供給系として、第２燃料タンク２５、第２燃料管路２６、電磁弁２７、第２インジェクタ２８を有する。第２燃料タンク２５内には、気体の第２燃料Ｆ２（ＣＮＧ）が高圧状態で貯留される。第２燃料管路２６は、第２燃料Ｆ２を第２燃料タンク２５から第２インジェクタ２８まで搬送する管路である。電磁弁２７は常閉型の電磁弁であり、閉じた状態では、第２インジェクタ２８側への第２燃料Ｆ２の送出を遮断する。通電によって電磁弁２７を開放すると、第２燃料Ｆ２が第２燃料管路２６を経て第２インジェクタ２８まで送られる。なお、エンジン１１側の燃料要求圧力が第２燃料タンク２５の充填圧力よりも低いため、第２燃料タンク２５内の高圧の第２燃料Ｆ２はレギュレータ（不図示）によって減圧された後、第２インジェクタ２８に供給される。第２インジェクタ２８は、エンジン１１の吸気ポート（不図示）又は燃焼室（不図示）内に第２燃料Ｆ２を噴射する。第２インジェクタ２８から噴射された第２燃料Ｆ２は、吸気系からエンジン１１に取り込まれた空気と混ざって混合気を生成する。
【００１７】
各燃料供給系に付随するものとして、第１燃料タンク２０内の第１燃料Ｆ１の残量を検出する第１燃料残量センサ６０と、第２燃料タンク２５内の第２燃料Ｆ２の残量を検出する第２燃料残量センサ６１を備えている。第１燃料残量センサ６０と第２燃料残量センサ６１での検出信号がエンジンＥＣＵ１２に送信され、各燃料Ｆ１、Ｆ２の残量情報がエンジンＥＣＵ１２で認識される。
【００１８】
バイフューエル車両１０は、車両情報を表示する表示器６２を備えている。表示器６２は、車両内部で乗員から視認可能な位置に設置され、車速やエンジン回転数などの各種情報を表示するものである。表示器６２の一部として、第１燃料残量センサ６０と第２燃料残量センサ６１を用いて検出された燃料残量を表示するための、燃料残量計６３が設けられている。燃料残量計６３には、第１燃料Ｆ１と第２燃料Ｆ２のそれぞれの残量が個別に表示される。また、第１燃料Ｆ１と第２燃料Ｆ２の燃料残量が低下した状態を個別に報知可能な報知手段であるインジケータ（表示灯）６４が、燃料残量計６３に設けられている。
【００１９】
バイフューエル車両１０を運転する乗員が使用燃料選択スイッチ１４を操作して、第１燃料Ｆ１と第２燃料Ｆ２のいずれをエンジン１１に供給するかを選択することができる。また、乗員の操作によらずにエンジンＥＣＵ１２からの制御によって、エンジン１１に供給する燃料を自動的に選択することも可能である。選択された燃料を消費して、エンジン１１の始動及びバイフューエル車両１０の走行が行われる。手動選択と自動選択のいずれの場合も、上記２つの燃料供給系をエンジンＥＣＵ１２が制御して、選択された燃料をエンジン１１に供給する。具体的には、第１燃料Ｆ１の使用が選択された場合の燃料供給では、エンジンＥＣＵ１２からポンプモータ２３に駆動信号が送られてフューエルポンプ２２を駆動させると共に、エンジンＥＣＵ１２によって第１インジェクタ２４からの第１燃料Ｆ１の噴射時期と噴射量が制御される。第２燃料Ｆ２の使用が選択された場合の燃料供給では、エンジンＥＣＵ１２から電磁弁２７に信号が送られて電磁弁２７を開放させると共に、エンジンＥＣＵ１２によって第２インジェクタ２８からの第２燃料Ｆ２の噴射時期と噴射量が制御される。
【００２０】
エンジン１１は、燃焼室内に点火プラグ３０を備えている。エンジンＥＣＵ１２が点火プラグ３０の点火時期を制御し、点火プラグ３０の点火によって燃焼室内の混合気に着火して燃焼させる。混合気の燃焼により、エンジン１１のシリンダ（不図示）内でピストン（不図示）が往復移動し、ピストンの往復運動がクランク軸３１の回転運動に変換される。
【００２１】
クランク軸３１の回転は変速機３２に伝達される。クランク軸３１と変速機３２の間には、接続状態と切断状態に動作可能なクラッチ３３が設けられており、クラッチ３３の接続状態でクランク軸３１から変速機３２への回転力伝達が行われる。変速機３２は、クランク軸３１から伝達された回転を変速してドライブシャフト３４に伝達し、ドライブシャフト３４に接続する駆動輪３５が回転してバイフューエル車両１０が走行する。
【００２２】
ドライブシャフト３４や駆動輪３５など、変速機３２以降の回転部分の回転速度が、車速センサ３７によって検出される。車速センサ３７による検出値はエンジンＥＣＵ１２に送信され、車速センサ３７の検出値に基づいてバイフューエル車両１０の車速が算出される。エンジン１１を冷却する冷却系（不図示）を備え、冷却系の冷却水の温度が水温センサ３８によって測定されて、測定値がエンジンＥＣＵ１２に送信される。車速センサ３７や水温センサ３８などによって、エンジンＥＣＵ１２は、バイフューエル車両１０の走行状態やエンジン１１の駆動状態などの車両情報を判定する。
【００２３】
本実施の形態のバイフューエル車両１０は、手動操作によって変速機３２の変速段を切り替えるマニュアルトランスミッション（ＭＴ）車である。アクセルペダル４０、クラッチペダル４１、ブレーキペダル４２、チェンジレバー４３を介して、バイフューエル車両１０の走行に関する乗員の操作が入力される。また、図示を省略するが、車輪を操舵させる手段としてハンドルを備えている。
【００２４】
アクセルペダル４０の操作によって、エンジン１１の出力要求が発生する。乗員によるアクセルペダル４０の操作量（アクセル開度）が、アクセル開度センサ４４によって検出される。アクセル開度センサ４４で検出されるアクセル開度に基づく出力要求の大きさに応じて、エンジンＥＣＵ１２が、第１インジェクタ２４や第２インジェクタ２８からの燃料の噴射時期及び噴射量、点火プラグ３０の点火時期、吸気系で取り込む空気量などを制御して、エンジン１１を駆動させる。
【００２５】
クラッチペダル４１の操作によって、クラッチ３３の接続状態が変更される。クラッチペダル４１を踏み込まない非操作状態ではクラッチ３３が接続しており、乗員がクラッチペダル４１を踏み込み操作するとクラッチ３３の接続が解除される。クラッチペダル４１の操作量（クラッチストローク）がクラッチストロークセンサ４５によって検出される。クラッチストロークセンサ４５による検出信号に基づいて、エンジンＥＣＵ１２においてクラッチ３３の接続状態が識別される。
【００２６】
ブレーキペダル４２の操作によって、ブレーキ機構３６による制動動作が行われる。乗員がブレーキペダル４２を踏み込み操作すると、踏力がブレーキ倍力装置（不図示）によって増幅されてブレーキ機構３６に伝達される。すると、ブレーキ機構３６は、機械的な摩擦接触によって車輪の回転を減速させて、バイフューエル車両１０の速度を低下させる。ブレーキペダル４２の操作量（ブレーキストローク）は、ブレーキストロークセンサ４６によって検出される。
【００２７】
チェンジレバー４３の操作によって、変速機３２の変速段の選択が行われる。チェンジレバー４３は、変速機３２における複数の変速段のいずれも選択しないニュートラル位置を有しており、ニュートラル位置では変速機３２からドライブシャフト３４への動力伝達が行われない。チェンジレバー４３をニュートラル位置から操作して変速段を選択すると、シフト装置（不図示）を介して変速機３２が動作して、対応した変速段に切り替わる。チェンジレバー４３で選択しているシフト位置やニュートラル位置は、シフトセンサ４７によって検出される。
【００２８】
停止状態のエンジン１１は、電動のエンジン始動装置であるスタータ５０によって初期回転を与えられて始動する。スタータ５０は、車載のバッテリ（不図示）からの電力供給によって駆動されるモータ（不図示）を備えており、エンジンＥＣＵ１２から始動信号がスタータ５０に入力されると、モータによって回転軸（不図示）を回転させる。スタータ５０の回転軸の回転がギヤ類を介してクランク軸３１に伝達され、クランク軸３１の回転開始によってエンジン１１が始動する。
【００２９】
エンジンＥＣＵ１２は、エンジン１１の運転中に所定の自動停止条件（アイドリングストップ条件）が満たされた場合に、エンジン１１の駆動を自動停止してアイドリングストップ状態にさせる。アクセル開度センサ４４、クラッチストロークセンサ４５、ブレーキストロークセンサ４６などによって得られる乗員の操作情報や、車速センサ３７、水温センサ３８などによって得られる車両情報などに基づいて、自動停止条件の成立が判定される。例えば、車速が所定車速以下であること、乗員がハンドル（不図示）の操作を行っていないこと、ブレーキペダル４２が踏み込まれていること、チェンジレバー４３がニュートラル位置であること、クラッチペダル４１が踏み込まれていないこと、アクセル開度が所定開度以下であること、という条件を全て満たすと、自動停止条件が成立したと判定されて、エンジンＥＣＵ１２の制御によってエンジン１１が自動的に停止される。
【００３０】
また、アイドリングストップ中に所定の再始動条件が満たされた場合に、エンジンＥＣＵ１２はエンジン１１の再始動を行わせる。例えば、チェンジレバー４３がニュートラル位置である状態において、ハンドル操作を行ったこと、クラッチペダル４１が踏み込まれたこと、ブレーキペダル４２の踏み込みが行われていないこと、エンジン１１の自動停止から所定時間が経過したこと、バッテリの放電が所定以上進んだこと、などのうちいずれかの条件を満たすと、エンジンＥＣＵ１２の制御によってエンジン１１が自動的に再始動される。バッテリの状態を再始動条件に含むのは、エンジン１１の停止時には車載の発電機（不図示）による発電が行われないので、バッテリの過放電を防ぐためである。
【００３１】
なお、以上に例示したアイドリングストップに関する自動停止条件及び再始動条件は、マニュアルトランスミッション（ＭＴ）車の場合の一例であり、各条件の詳細は上記の例に限定されるものではない。
【００３２】
ところで、上述したように、バイフューエル車両１０で選択して使用される燃料のうち、第１燃料Ｆ１は相対的にエンジン１１の始動性能に優れるという特性があり、第２燃料Ｆ２は相対的に燃費性能に優れるという特性がある。そして、本実施の形態のバイフューエル車両１０では、特性の異なる第１燃料Ｆ１と第２燃料Ｆ２のそれぞれの使用状況（エンジン１１への供給状況）と残量に応じて、アイドリングストップの禁止と許可を適切に制御して、エンジン１１の始動性能と燃費性能の両立を図っている。以下、その制御の詳細を説明する。なお、本実施の形態のバイフューエル車両１０は、アイドリングストップを行うことが基本設定になっており、以下に述べるアイドリングストップの許可は、アイドリングストップの禁止を行わないという処理内容になる。
【００３３】
第１燃料Ｆ１に関して、残量の所定値Ａ（第３の所定値）と所定値Ｂ（第１の所定値）を設定する。所定値Ａは所定値Ｂよりも低い（燃料の残量が少ない）値である。第２燃料Ｆ２に関して、残量の所定値Ｃ（第２の所定値）を設定する。第２燃料Ｆ２は、第１燃料Ｆ１の所定値Ｂよりも高い（燃料の残量が多い）値である。
【００３４】
なお、ここでの燃料の残量（所定値Ａ、Ｂ、Ｃを含む）とは、燃料タンク内の単純な残容量を意味するのではなく、同じ走行条件下で燃料消費により走行を継続可能な距離の推定値として取り扱われる。従って、特性の異なる第１燃料Ｆ１と第２燃料Ｆ２についても、走行継続可能な距離の推定値として、残量の対比が可能である。
【００３５】
所定値Ａ、Ｂ、Ｃは、各燃料を補給可能な燃料補給所の分布密度に応じて設定され、各燃料が所定値に達した段階で、最寄りの燃料補給所まで確実に走行できるように多少の余裕をもって定められている。例えば、第２燃料Ｆ２であるＣＮＧを補給可能なガス補給所は、第１燃料Ｆ１であるガソリンを補給可能な給油所に比べて数が少ない（分布密度が低い）。そのため、所定値Ｃによる走行可能距離を所定値Ｂによる走行可能距離をよりも大きい値にしている。一例として、第２燃料Ｆ２の残量が所定値Ｃの状態から、数十ｋｍ程度の走行が可能なように設定する。一方、ガソリンを補給可能な給油所は、比較的高密度に存在するので、第１燃料Ｆ１の残量が所定値Ａまたは所定値Ｂの状態から、数ｋｍ程度の走行が可能なように設定する。第１燃料Ｆ１において残量の基準を所定値Ａ、Ｂの２段階にしている理由については後述する。
【００３６】
本実施の形態では、アイドリングストップの許可と禁止の判定基準について、３つの特徴を有している。なお、以下の説明において、エンジン１１の運転時とは、エンジン１１の動力による車両の実際の走行中と、車両は停止しているがエンジン１１の駆動が継続している場合の両方を含む。
【００３７】
まず、第１の特徴について説明する。エンジン１１への供給燃料として第２燃料Ｆ２を選択してのエンジン運転時に、エンジン運転に使用していない第１燃料Ｆ１の残量が不足している（所定値Ｂ以下である）場合には、アイドリングストップを禁止する。図２の表中の領域Ｐ２が当該処理に相当する。また、エンジン１１への供給燃料として第１燃料Ｆ１を選択してのエンジン運転時に、エンジン運転に使用していない第２燃料Ｆ２の残量が不足している（所定値Ｃ以下である）場合には、アイドリングストップを許可する。図２の表中の領域Ｐ３が当該処理に相当する。この図２中の領域Ｐ２と領域Ｐ３の対応関係が、アイドリングストップの判定基準に関する第１の特徴である。
【００３８】
相対的に始動性能が高い第１燃料Ｆ１の残量が不足した状態でアイドリングストップを実行すると、エンジン停止後の再始動に第１燃料Ｆ１を用いることができず、スタータ５０によるクランキングに長時間を要し、車両としての再始動性能が低下するおそれがある。特に、エンジン１１の気筒内での第２燃料Ｆ２の圧縮温度が低くなる低温環境下や、スタータ５０の劣化により始動用の駆動力が低下している状態では、第２燃料Ｆ２を用いたエンジン再始動において、より多くの時間を要する。そのため、このような状況では、第１燃料Ｆ１によるエンジン再始動が求められるが、第１燃料Ｆ１が不足していると選択できない。従って、第２燃料Ｆ２を用いたエンジン運転中に第１燃料Ｆ１の残量が不足している場合には、アイドリングストップを禁止する（図２の領域Ｐ２）ことで、再始動性能が低い状態でのエンジン再始動に陥ることを防止できる。
【００３９】
また、相対的に燃費性能が低い第１燃料Ｆ１を用いてのエンジン運転中に、第２燃料Ｆ２の残量が低下した場合には、残量の多い第１燃料Ｆ１によって再始動性能が担保されるため、アイドリングストップを許可してエンジン自動停止の頻度を維持し（図２の領域Ｐ３）、燃費の低下を抑制している。
【００４０】
第１燃料Ｆ１が所定値Ｂ以下になった場合（図２の領域Ｐ２）、エンジンＥＣＵ１２は、燃料残量計６３のインジケータ６４により、第１燃料Ｆ１の燃料残量低下を示す表示を行わせる。第２燃料Ｆ２が所定値Ｃ以下になった場合（図２の領域Ｐ３）、エンジンＥＣＵ１２は、燃料残量計６３のインジケータ６４により、第２燃料Ｆ２の燃料残量低下を示す表示を行わせる。所定値Ｃの方が所定値Ｂよりも残存燃料による走行可能距離が長いので、相対的には、第１燃料Ｆ１よりも第２燃料Ｆ２の方が早期に燃料残量低下の報知が行われることになる。
【００４１】
上記の通り、第２燃料Ｆ２であるＣＮＧを補給可能なガス補給所は、第１燃料Ｆ１であるガソリンを補給可能な給油所に比べて、分布密度が低い。そのため、燃料残量低下報知のトリガーとなる所定値Ｃを所定値Ｂよりも大きく設定して、早めの段階で第２燃料Ｆ２の不足を乗員に知らせて注意喚起を促している。なお、第２燃料Ｆ２の残量低下に基づくアイドリングストップの禁止処理は行わないので、第２燃料Ｆ２の残量の大小は、燃費には影響しない。従って、第２燃料Ｆ２の残量低下を早期に報知するために所定値Ｃを高めに設定しても、燃費性能の悪化は生じない。
【００４２】
燃料残量が所定値Ｂ以下の場合の報知形態と、燃料残量が所定値Ｃ以下の場合の報知形態とを、互いに異ならせてもよい。具体的には、インジケータ６４を構成する表示灯の発光色の違い、表示灯の点灯形態（連続点灯と点滅など）の違い、表示灯以外のディスプレイを用いた記号や文字や画像の表示、などによって、異なる報知形態を設定可能である。また、視認可能な視覚情報に加えて、警告音などの聴覚情報を用いることも可能である。燃料残量が所定値Ｂ以下の場合は、図２の領域Ｐ２におけるアイドリングストップ禁止処理と関連するものであるため、アイドリングストップ禁止になったことを知らせる独自内容の報知を行ってもよい。
【００４３】
続いて、第２の特徴について説明する。第１の特徴で述べたように、エンジン１１への供給燃料として第２燃料Ｆ２を選択してのエンジン運転時に、エンジン運転に使用していない第１燃料Ｆ１の残量が所定値Ｂ以下の場合には、アイドリングストップを禁止する。図２の表中の領域Ｐ２が当該処理に相当する。さらに、エンジン１１への供給燃料として第１燃料Ｆ１を選択してのエンジン運転時に、第１燃料Ｆ１の残量が所定値Ａ以下になった場合には、アイドリングストップを禁止する。図２の表中の領域Ｐ１が当該処理に相当する。この図２中の領域Ｐ１と領域Ｐ２の対応関係が、アイドリングストップの判定基準に関する第２の特徴である。
【００４４】
第１燃料Ｆ１は第２燃料Ｆ２と比べて燃費性能が低いため、第１燃料Ｆ１を使用したエンジン運転時の方が、第２燃料Ｆ２を使用したエンジン運転時よりも、アイドリングストップによる燃費改善効果が高い。つまり、第１燃料Ｆ１を使用したエンジン運転時には、できるだけアイドリングストップ禁止制御に進まないことが、燃費向上の点で望ましい。第１燃料Ｆ１の残量低下によるアイドリングストップ禁止（図２の領域Ｐ１、Ｐ２）において、所定値Ａによる走行可能距離を所定値Ｂによる走行可能距離をよりも短く設定することで、第１燃料Ｆ１を使用したエンジン運転時（図２の領域Ｐ１）の方が、第２燃料Ｆ２を使用したエンジン運転時（図２の領域Ｐ２）よりも、第１燃料Ｆ１の残量が少なくなるまでアイドリングストップの許可を継続できる。これにより、第１燃料Ｆ１を使用したエンジン運転時のアイドリングストップの頻度を維持して、アイドリングストップ禁止による燃費低下幅を抑制する効果が得られる。このような理由から、第１燃料Ｆ１の残量について２つの所定値Ａ、Ｂを設定している。
【００４５】
上記のように、第１燃料Ｆ１が所定値Ｂ以下になった場合（図２の領域Ｐ２）に、インジケータ６４による残量低下報知を行う。所定値Ｂで報知済みであるので、所定値Ｂよりも低い残量の所定値Ａになった場合（図２の領域Ｐ１）では、第１燃料Ｆ１の残量低下を重ねて報知をしなくてもよい。但し、燃料残量が所定値Ａ以下になった場合に、燃料残量が所定値Ｂ以下になった場合とは異なる形態で報知させてもよい。この場合、所定値Ａ以下になった場合の方が第１燃料Ｆ１の残量が少ないので、乗員に対してより強く燃料低下を訴える報知形態にすることが好ましい。それぞれの報知形態の異ならせ方については、第１の特徴の説明で先に述べた通りである。また、第１燃料Ｆ１の残量が所定値Ａ以下の場合は、図２の領域Ｐ１におけるアイドリングストップ禁止処理と関連するものであるため、アイドリングストップ禁止になったことを知らせる独自内容の報知を行ってもよい。
【００４６】
続いて、第３の特徴について説明する。第１及び第２の特徴で述べたように、エンジン１１への供給燃料として第２燃料Ｆ２を選択してのエンジン運転時に、エンジン運転に使用していない第１燃料Ｆ１の残量が所定値Ｂ以下の場合には、アイドリングストップを禁止する。図２の表中の領域Ｐ２が当該処理に相当する。さらに、エンジン１１への供給燃料として第２燃料Ｆ２を選択してのエンジン運転時に、第２燃料Ｆ２の残量が所定値Ｃ以下の場合には、アイドリングストップを許可する。図２の表中の領域Ｐ４が当該処理に相当する。この図２中の領域Ｐ２と領域Ｐ４の対応関係が、アイドリングストップの判定基準に関する第３の特徴である。
【００４７】
始動性能の高い第１燃料Ｆ１に十分な残量があれば、エンジン１１の再始動を支障なく行える。そのため、第２燃料Ｆ２を使用したエンジン運転時に、第２燃料Ｆ２の残量が所定値Ｃまで低下した場合、第１燃料Ｆ１の不足が検出されないうちは、アイドリングストップの許可を継続して（図２の領域Ｐ４）、アイドリングストップの頻度を維持させ、燃費性能の低下を抑制する。一方、第２燃料Ｆ２を使用したエンジン運転時であっても、第１燃料Ｆ１の不足が検出された場合には、アイドリングストップを禁止することで（図２の領域Ｐ２）、第２燃料Ｆ２を使用するエンジン再始動への進行を防止できる。
【００４８】
第２燃料Ｆ２の使用時に第２燃料Ｆ２が所定値Ｃ以下になった場合（図２の領域Ｐ４）、エンジンＥＣＵ１２は、燃料残量計６３のインジケータ６４に、第２燃料Ｆ２の燃料残量低下を示す表示を行わせる。先に述べたように、所定値Ｃ以下になったときに第２燃料Ｆ２の不足を報知することで、乗員に早めの燃料補給を促して、第２燃料Ｆ２の補給機会損失を防ぐことができる。第２燃料Ｆ２の使用時に第１燃料Ｆ１が所定値Ｂ以下になった場合（図２の領域Ｐ２）のインジケータ６４による報知は、第１の特徴の説明で先に述べた通りである。
【００４９】
続いて、図３のフローチャートを参照して、本実施の形態のアイドリングストップ制御の流れについて説明する。以下の制御内容は、エンジン１１が運転している状態において所定時間で繰り返し実行される。なお、アイドリングストップを行うことが基本の設定であるため、図３のフローチャートにおいて、アイドリングストップの許可については、明示的に表していない。つまり、アイドリングストップの禁止を指定していない部分については、アイドリングストップ許可状態にある。
【００５０】
ステップＳ１では、第２燃料Ｆ２の残量が所定値Ｃ以下であるかを判定する。ステップＳ１で第２燃料Ｆ２の残量が所定値Ｃ以下である場合（ＹＥＳ）、ステップＳ２に進み、燃料残量計６３のインジケータ６４によって第２燃料Ｆ２の残量不足を報知させた上で、ステップＳ３に進む。ステップＳ１で所定値Ｃよりも多く第２燃料Ｆ２が残っている場合（ＮＯ）、ステップＳ２をスキップしてステップＳ３に進む。第２燃料Ｆ２の残量については、アイドリングストップの許可と禁止に関する判定基準として用いないため、制御フローの最初のステップＳ１で、第２燃料Ｆ２の残量不足を確認して、不足時の報知（ステップＳ２）のみを行っている。なお、エンジン１１の運転に使用している燃料が第１燃料Ｆ１と第２燃料Ｆ２のいずれであっても、ステップＳ２での第２燃料Ｆ２の残量不足報知を行う。これにより、乗員が使用燃料選択スイッチ１４によって使用燃料を切り替えた場合などでも、インジケータ６４が消えたり点灯したりすることを防ぎ、使用燃料に依存することなく確実に第２燃料Ｆ２の残量不足を報知できる。
【００５１】
ステップＳ３では、第１燃料Ｆ１に設定した２つの燃料残量のうち、高い方の所定値Ｂ以下であるかを判定する。ステップＳ３で第１燃料Ｆ１の残量が所定値Ｂ以下である場合（ＹＥＳ）、ステップＳ４に進み、燃料残量計６３のインジケータ６４によって第１燃料Ｆ１の残量不足を報知させた上で、ステップＳ５に進む。エンジン１１の運転に使用している燃料が第１燃料Ｆ１と第２燃料Ｆ２のいずれであっても、ステップＳ４での第１燃料Ｆ１の残量不足報知を行う。これにより、乗員が使用燃料選択スイッチ１４によって使用燃料を切り替えた場合などでも、インジケータ６４が消えたり点灯したりすることを防ぎ、使用燃料に依存することなく確実に第１燃料Ｆ１の残量不足を報知できる。ステップＳ３で所定値Ｂよりも多く第１燃料Ｆ１が残っている場合（ＮＯ）、アイドリングストップの禁止を判定する必要がないため、基本設定であるアイドリングストップ許可状態のまま制御フローから抜ける。
【００５２】
ステップＳ５では、第１燃料Ｆ１を使用してエンジン１１の運転中であるかを判定する。ここでのエンジン１１の運転中とは、エンジン１１の動力によって車両を実際に走行させている場合と、車両は停止しているがエンジン１１の駆動が継続している場合のいずれも該当する。第１燃料Ｆ１を使用してエンジン運転中である場合（ＹＥＳ）、ステップＳ６に進む。第１燃料Ｆ１ではなく第２燃料Ｆ２を使用してエンジン運転中である場合（ＮＯ）、ステップＳ８に進む。
【００５３】
ステップＳ６では、第１燃料Ｆ１に設定した２つの燃料残量のうち、低い方の所定値Ａ以下であるかを判定する。ステップＳ６で第１燃料Ｆ１の残量が所定値Ａ以下である場合（ＹＥＳ）、ステップＳ７に進む。なお、図３のフローチャートには示していないが、第１燃料Ｆ１の残量が所定値Ａ以下である場合に、ステップＳ４での第１燃料Ｆ１の残量低下（所定値Ｂ以下）の報知とは異なる形態の残量低下報知を、燃料残量計６３のインジケータ６４に行わせてもよい。ステップＳ６で所定値Ａよりも多く第１燃料Ｆ１が残っている場合（ＮＯ）、基本設定であるアイドリングストップ許可状態のまま制御フローから抜ける。
【００５４】
ステップＳ７とステップＳ８ではいずれも、アイドリングストップの禁止処理を行う。ステップＳ７での処理は、図２の領域Ｐ１に対応するものである。ステップＳ８での処理は、図２の領域Ｐ２に対応するものである。ステップＳ７又はステップＳ８を経た場合、アイドリングストップ禁止に設定変更された状態で制御フローから抜ける。
【００５５】
以上のように、本実施の形態のバイフューエル車両１０は、始動性能が高い第１燃料Ｆ１の不足時にエンジン１１の自動停止を禁止するので、始動性能が低い状況でエンジン１１の再始動を行うことを防ぐことができる。また、燃費効能が高い第２燃料Ｆ２の不足時には、エンジン１１の自動停止を許可するので、自動停止の頻度を維持して燃費向上の効果を得ることができる。従って、特性の異なる２つの燃料を用いつつ、燃料の残量に応じて、エンジン１１の始動性能と燃費性能に優れたアイドリングストップ制御を実現することができる。
【００５６】
なお、本発明は上記実施形態に限定されず、種々変更して実施することが可能である。上記実施の形態において、添付図面に図示されている構成や制御等については、これに限定されず、本発明の効果を発揮する範囲内で適宜変更することが可能である。その他、本発明の目的の範囲を逸脱しない限りにおいて適宜変更して実施することが可能である。
【００５７】
上記実施形態では、第１燃料Ｆ１と第２燃料Ｆ２の入手性に差があることから、第２燃料Ｆ２の残量の所定値Ｃを、第１燃料Ｆ１の残量の所定値Ｂよりも大きく設定し、補給機会が限られやすい第２燃料Ｆ２の方が走行可能距離の大きい状態で燃料不足の報知を行うようにしている。これとは異なり、第１燃料Ｆ１と第２燃料Ｆ２の入手性が同等の場合は、所定値Ｂと所定値Ｃでの走行可能距離を同等にしてもよい。あるいは、第１燃料Ｆ１よりも第２燃料Ｆ２の入手性が高い場合は、所定値Ｃでの走行可能距離を所定値Ｂでの走行可能距離よりも小さく設定することも可能である。
【００５８】
上記実施形態では、第１燃料Ｆ１や第２燃料Ｆ２の燃料不足の報知を、表示器６２上の燃料残量計６３のインジケータ６４への表示や、音声で行うものとしたが、これらとは異なる手段で報知することも可能である。
【００５９】
上記実施形態ではバイフューエル車両１０の燃料としてガソリンとＣＮＧを併用しているが、本発明を適用するバイフューエル車両における燃料の組み合わせは、これに限定されない。例えば、軽油、液化天然ガス（Liquefied  Natural  Gas：ＬＮＧ）、液化石油ガス（Liquefied  Petroleum  Gas：ＬＰＧ）、その他の代替燃料など、特性の異なる複数種の燃料の組み合わせが選択可能である。すなわち、互いの始動性能と燃費性能の相違に基づいて、上記実施形態のような使い分けが可能な関係にある燃料であれば、広く適用が可能である。
【００６０】
上記実施形態は、手動で有段の変速操作を行うマニュアルトランスミッション（ＭＴ）車を例示したが、本発明のバイフューエル車両は変速機構のタイプを問わずに適用が可能である。例えば、自動変速機を搭載した車両にも適用が可能であり、より詳しくは、無段変速機（ＣＶＴ）、デュアル・クラッチ・トランスミッション（ＤＣＴ）、トルクコンバーター式オートマチック（ＡＴ）、自動変速マニュアルトランスミッション（ＡＭＴ）、などにも対応が可能である。なお、アイドリングストップの自動停止条件や再始動条件は、変速機構のタイプによっても異なるため、上記実施形態で記載した条件には限定されない。
【００６１】
上記実施形態は、走行用の動力発生源として内燃機関であるエンジン１１のみを備えた車両に適用したが、内燃機関と電動機を動力発生源として併用する車両（いわゆるハイブリッド車）に本発明を適用することも可能である。この場合、電動機単独でも車両の走行を行わせることが可能なタイプ、電動機がエンジンの始動及びエンジン駆動力の補助に限定して使用されるタイプなど、様々なタイプのハイブリッド車が適用対象となる。つまり、電動機搭載の有無に関わらず、複数の燃料を内燃機関に供給するバイフューエル車両であれば、広く本発明を適用できる。そして、停止もしくは停止に近い低車速状態での狭義のアイドリングストップだけでなく、ハイブリッド車において、ある程度以上の車速で走行している状態でエンジンを自動停止させる場合にも、本発明を適用することが可能である。上記実施形態におけるアイドリングストップを、広義のエンジン自動停止と読み替えることで、ハイブリッド車の走行中におけるエンジン自動停止の制御にも応用が可能である。
【産業上の利用可能性】
【００６２】
以上説明したように、本発明によるバイフューエル車両は、各燃料の残量と特性に応じて、始動性能と燃費性能に優れた内燃機関の自動停止制御を実現することができ、特に、高度な燃費管理が要求されるバイフューエル車両に有用である。
【符号の説明】
【００６３】
１０        ：バイフューエル車両
１１        ：エンジン（内燃機関）
１２        ：エンジンＥＣＵ（自動停止制御装置）
２０        ：第１燃料タンク
２４        ：第１インジェクタ
２５        ：第２燃料タンク
２８        ：第２インジェクタ
３１        ：クランク軸
３２        ：変速機
３３        ：クラッチ
３４        ：ドライブシャフト
３５        ：駆動輪
３６        ：ブレーキ機構
４０        ：アクセルペダル
４１        ：クラッチペダル
４２        ：ブレーキペダル
４３        ：チェンジレバー
５０        ：スタータ
６０        ：第１燃料残量センサ
６１        ：第２燃料残量センサ
６２        ：表示器
６３        ：燃料残量計
６４        ：インジケータ（燃料の残量低下を報知する手段）
Ａ          ：第１燃料の残量の所定値（第３の所定値）
Ｂ          ：第１燃料の残量の所定値（第１の所定値）
Ｃ          ：第２燃料の残量の所定値（第２の所定値）
Ｆ１        ：第１燃料
Ｆ２        ：第２燃料
【図１】
2020133599.tif 000003
【図２】
2020133599.tif 000004
【図３】
2020133599.tif 000005